【手続補正書】
【提出日】平成17年4月8日(2005.4.8)
【手続補正１】
【補正対象書類名】明細書
【補正対象項目名】特許請求の範囲
【補正方法】変更
【補正の内容】
【特許請求の範囲】
【請求項１】
撮像レンズを通る被写体からの光束の通過光量を調整するための絞り装置において、
被写体からの光束の通過光量を調整するための第１絞り開口部を有する第１絞り羽根と、
前記第１絞り羽根の第１絞り開口部の一部に取付けられた第１光学フィルタと、
被写体からの光束の通過光量を調整するための第２絞り開口部を有する第２絞り羽根と、
前記第２絞り羽根の第２絞り開口部の一部に取付けられた第２光学フィルタと、
前記第１絞り羽根および前記第２絞り羽根を直線移動可能なように支持するための支持部材と、
前記第１絞り羽根を第１の方向に直線移動させ、かつ、前記第２絞り羽根を前記第１の方向と異なる第２の方向に直線移動させるためのアクチュエータとを備え、
ピントが合っている被写体の被写体距離と異なる被写体距離にある別の被写体について、被写体のコントラストが低下する状態が発生することを阻止するように、前記第１光学フィルタの光線透過率は、前記第２光学フィルタの光線透過率と異なるように構成される、
ことを特徴とする絞り装置。
【請求項２】
前記第１光学フィルタの光線透過率と、前記第２光学フィルタの光線透過率との間に、１．５倍以上の差があるように構成される、ことを特徴とする請求項１記載の絞り装置。
【請求項３】
前記第１光学フィルタの光線透過率、および、前記第２光学フィルタの光線透過率は、デフォーカス量が０でない個所におけるＭＴＦの極大値に対して、前記ＭＴＦの極大値に隣接するＭＴＦの極小値が１５％以上の値になるように設定されることを特徴とする請求項１記載の絞り装置。
【請求項４】
前記第１光学フィルタの絞り開口を形成する縁部の形状と、前記第２光学フィルタの絞り開口を形成する縁部の形状のうちの少なくとも一方が凹形状であることを特徴とする請求項１記載の絞り装置。
【請求項５】
前記第１光学フィルタの絞り開口を形成する縁部の形状と、第２光学フィルタの絞り開口を形成する縁部の形状のうちの一方が凹形状であり、他方が直線状であることを特徴とする請求項１記載の絞り装置。
【請求項６】
前記第１光学フィルタと、前記第２光学フィルタのうちの少なくとも一方がＮＤフィルタで構成されることを特徴とする、請求項１〜５のいずれか１項に記載の絞り装置。
【請求項７】
絞り装置を絞りこんだ状態において、前記第１光学フィルタと、前記第２光学フィルタが、部分的に重なるように構成されることを特徴とする、請求項１〜５のいずれか１項に記載の絞り装置。
【請求項８】
絞り羽根を直線移動可能なように支持し、撮像レンズを通る被写体からの光束の通過光量を調整するための第１絞り開口部を有する第１絞り羽根と、
絞り羽根を直線移動可能なように支持し、撮像レンズを通る被写体からの光束の通過光量を調整するための第２絞り開口部を有する第２絞り羽根と、
前記第１絞り開口部の一部に取付けられた第１光学フィルタと、
前記第２絞り開口部の一部に取付けられた第２光学フィルタとを備え、前記第１光学フィルタの光線透過率は、前記第２光学フィルタの光線透過率と異なるように構成されており、
さらに、前記第１絞り羽根を第１の方向に直線移動させ、前記第２絞り羽根を前記第１の方向と異なる第２の方向に直線移動させるアクチュエータを備え、
前記アクチュエータによって直線移動される前記第１絞り羽根および前記第２絞り羽根により、絞りを開放にセットした状態の場合は円形の絞り開口が形成され、絞りを絞った状態の場合は、前記第１光学フィルタと前記第２光学フィルタとが絞り開口を覆うことにより、前記円形の絞り開口の面積が減少した絞り開口が形成され、絞りをさらに絞った状態の場合は、前記第１光学フィルタのみがある領域と、前記第２光学フィルタのみがある領域と、前記第１光学フィルタおよび前記第２光学フィルタが重なる領域とが併存するように構成される、
ことを特徴とする絞り装置。
【請求項９】
前記絞りを絞った状態の場合において、前記第１光学フィルタと前記第２光学フィルタとが絞り開口を覆うことにより、前記円形の絞り開口の面積が減少した絞り開口が形成されるとき、この面積が減少した絞り開口は、菱形又は七角形に形成されることを特徴とする請求項８記載の絞り装置。
【請求項１０】
光学機器のレンズにおいて、撮像レンズを通る被写体からの光束の通過光量を調整するために設けられた、請求項１〜９のいずれか１項に記載の絞り装置を備えることを特徴とするレンズ。
【請求項１１】
ビデオカメラにおいて、
被写体からの光束を結像させるための撮像レンズと、
前記撮像レンズを通る被写体からの光束を記録するためのカメラボディと、
前記撮像レンズを通る被写体からの光束の通過光量を調整するために設けられた、請求項１〜９のいずれか１項に記載の絞り装置と、
を備えることを特徴とするビデオカメラ。
【手続補正２】
【補正対象書類名】明細書
【補正対象項目名】０００５
【補正方法】変更
【補正の内容】
【０００５】
【発明が解決しようとする課題】
しかしながら、２枚の絞り羽根のそれぞれの切欠部の底部に同じ濃度のＮＤフィルタを取付けた場合、絞りを絞ってゆき、絞り開口が２枚のＮＤフィルタによって覆われる直前には、２枚の絞り羽根のそれぞれの切欠部によって形成される光が透過することができる領域において、前記２枚のＮＤフィルタが重なる領域と、２枚のＮＤフィルタのうちの一方のみが存在する領域と、ＮＤフィルタがなく素通しの領域とが併存する状態が発生する。このような状態では、回折現象の影響による解像力の低下（被写体のコントラストの低下）が生じるという課題がある。この課題を防止するために、絞り羽根の開口に向かうほど光の透過量が減少するようなＮＤフィルタが幾つか提案されている（例えば、特許文献１参照）。しかしながら、この構造においても、ＮＤフィルタ形状が複雑になり、ＮＤフィルタの製造が難しくなる課題がある。さらに、他の従来の絞り装置が、特許文献２〜８などに開示されている。
【手続補正３】
【補正対象書類名】明細書
【補正対象項目名】０００６
【補正方法】変更
【補正の内容】
【０００６】
【特許文献１】特開平８−４３８７８号公報（第２〜３頁、図１〜図６）
【特許文献２】特開２００２−２５８３４６号公報
【特許文献３】特開２０００−１４７５８９号公報
【特許文献４】特開平１１−６４９２３号公報
【特許文献５】特開平１１−１５０４２号公報
【特許文献６】特開平８−２３４２６８号公報
【特許文献７】特開平５−２８１５９２号公報
【特許文献８】特開平５−２８２５９１号公報
【手続補正４】
【補正対象書類名】明細書
【補正対象項目名】００１１
【補正方法】変更
【補正の内容】
【００１１】
また、本発明の絞り装置では、第１光学フィルタの絞り開口を形成する縁部の形状と、第２光学フィルタの絞り開口を形成する縁部の形状のうちの少なくとも一方が凹形状であるのが好ましい。また、本発明の絞り装置では、第１光学フィルタの絞り開口を形成する縁部の形状と、第２光学フィルタの絞り開口を形成する縁部の形状のうちの一方が凹形状であり、他方が直線状であるように構成してもよい。また、本発明の絞り装置では、第１光学フィルタと、第２光学フィルタのうちの少なくとも一方がＮＤフィルタで構成されるのが好ましい。また、本発明の絞り装置では、絞り装置を絞りこんだ状態において、前記第１光学フィルタと、前記第２光学フィルタが、部分的に重なるように構成されるのが好ましい。この構成により、製造が簡易であり、製造コストが低い絞り装置を実現することができる。
【手続補正５】
【補正対象書類名】明細書
【補正対象項目名】００１２
【補正方法】変更
【補正の内容】
【００１２】
また、本発明の絞り装置は、絞り羽根を直線移動可能なように支持し、撮像レンズを通る被写体からの光束の通過光量を調整するための第１絞り開口部を有する第１絞り羽根と、絞り羽根を直線移動可能なように支持し、撮像レンズを通る被写体からの光束の通過光量を調整するための第２絞り開口部を有する第２絞り羽根と、第１絞り開口部の一部に取付けられた第１光学フィルタと、第２絞り開口部の一部に取付けられた第２光学フィルタとを備え、第１光学フィルタの光線透過率は、第２光学フィルタの光線透過率と異なるように構成される。この絞り装置は、さらに、第１絞り羽根を第１の方向に直線移動させ、第２絞り羽根を前記第１の方向と異なる第２の方向に直線移動させるアクチュエータを備える。このアクチュエータによって直線移動される第１絞り羽根および第２絞り羽根により、絞りを開放にセットした状態の場合は円形の絞り開口が形成され、絞りを絞った状態の場合は、第１光学フィルタと第２光学フィルタとが絞り開口を覆うことにより、円形の絞り開口の面積が減少した絞り開口が形成され、絞りをさらに絞った状態の場合は、第１光学フィルタのみがある領域と、第２光学フィルタのみがある領域と、第１光学フィルタおよび前記第２光学フィルタが重なる領域とが併存するように構成される。この絞り装置では、前記絞りを絞った状態の場合において、第１光学フィルタと第２光学フィルタとが絞り開口を覆うことにより、前記円形の絞り開口の面積が減少した絞り開口が形成されるとき、この面積が減少した絞り開口は、菱形又は七角形に形成されるようになっているのがよい。
【手続補正６】
【補正対象書類名】明細書
【補正対象項目名】００１３
【補正方法】変更
【補正の内容】
【００１３】
さらに、本発明は、光学機器のレンズにおいて、撮像レンズを通る被写体からの光束の通過光量を調整するために設けられた、上記の絞り装置を備えることを特徴とする。この構成により、非常に高輝度な被写体に対しても回折現象の影響による解像力の低下（被写体のコントラストの低下）を阻止し、撮像画面の光量むらの発生を阻止することができるように構成された絞り装置を備えた光学機器用レンズを実現することができる。さらに、本発明は、ビデオカメラにおいて、被写体からの光束を結像させるための撮像レンズと、撮像レンズを通る被写体からの光束を記録するためのカメラボディと、撮像レンズを通る被写体からの光束の通過光量を調整するために設けられた、上記の絞り装置とを備えることを特徴とする。この構成により、非常に高輝度な被写体に対しても回折現象の影響による解像力の低下（被写体のコントラストの低下）を阻止し、撮像画面の光量むらの発生を阻止することができるように構成された絞り装置を備えた光学機器用レンズを含むビデオカメラ実現することができる。